(57)【特許請求の範囲】
【請求項１】
ブロー成形によって、内容物を収容する胴２の上端より、内容物充填にのみ用いて充填後に封止する筒状の充填口３を、また、該充填口から左方又は右方に連なる肩部４より、破断開口させる筒状の注出口５を、それぞれ上方突設したボトル形の肉薄の容器体１を形成し、上記注出口の先端には、破断開口用の蝶形つまみ片６を、薄肉破断線７を介して連設しており、更に圧潰可能であって自らの形態を維持できる程度の剛性を有する、合成樹脂製使い捨て容器であって、
上記蝶形つまみ片６は、上記注出口５の先端を閉口する中間部から、その注出口の筒壁周面との間に間隙を存して、左右のつまみ部分を垂下しており、これらつまみ部分の下端部を、薄肉破断線８を介して、上記肩部４のうち注出口５の左右両側の肩部分へそれぞれ連続したことを特徴とする、圧潰廃棄容易な合成樹脂製簡易使い捨て容器。
【発明の詳細な説明】
【０００１】
【発明の属する技術分野】
本発明は、圧潰廃棄容易な合成樹脂製簡易使い捨て容器に関する。
【０００２】
【従来の技術】
近年、用済み後の容器類は、分別収拾されて再利用に供されているが、処理に限度もあり、未だ多くのものが圧潰されることもなくそのままの姿で廃棄されている現状であり、これを如何にするかが重大な問題となっている。
かかる容器類のゴミ問題に鑑み、最近では、単なる容器として或いは詰め替え容器としていわゆるパウチと称される袋容器が出回るようになってきている。この種の袋容器は、廃棄時に、折り畳み、圧潰等によりかなり小さくすることができて、量を格段に少なくすることができる点で優れている。
【０００３】
【発明が解決しようとする課題】
しかし、その反面、この種の袋容器には保形性がなく、形が定まり難いくねくねしたものであるために、使用上、取り扱い上或いは外観上、次のような多くの欠点も合わせて有している。
▲１▼  内容物の充填が容易でなく、充填速度が甚だ遅い。
▲２▼  起立させることが困難であり、起立タイプのものであっても、内容物が少なくなるにつれ倒れ易くなる。
▲３▼  把持手段を有しないこともあって持ち難く、注出方向が定まり難いため注ぎ難く、また、取り扱いが容易でなく、漏らし易い。
▲４▼  内容物を途中まで注出して残量を保存するような場合、倒れて内容物が漏出し、周辺を汚すことが多い。殊に、口部を切り開くような詰め替え容器では、十分に閉口できないため、漏れ防止はほとんど不可能である。
▲５▼  見映えが悪い。
そこで、本発明は、圧潰廃棄を容易にするとともに、ボトルの機能をも十分発揮できるようにして、それらの問題点を全て解決しようとするものである。
【０００４】
【課題を解決するための手段】
上記目的達成のため、請求項１の発明は、ブロー成形によって、内容物を収容する胴２の上端より、内容物充填にのみ用いて充填後に封止する筒状の充填口３を、また、該充填口から左方又は右方に連なる肩部４より、破断開口させる筒状の注出口５を、それぞれ上方突設したボトル形の肉薄の容器体１を形成し、上記注出口の先端には、破断開口用の蝶形つまみ片６を、薄肉破断線７を介して連設しており、更に圧潰可能であって自らの形態を維持できる程度の剛性を有する、合成樹脂製使い捨て容器であって、
上記蝶形つまみ片６は、上記注出口５の先端を閉口する中間部から、その注出口の筒壁周面との間に間隙を存して、左右のつまみ部分を垂下しており、これらつまみ部分の下端部を、薄肉破断線８を介して、上記肩部４のうち注出口５の左右両側の肩部分へそれぞれ連続している。
【０００７】
【発明の実施の形態】
図面は、本発明に係る圧潰廃棄容易な合成樹脂製簡易使い捨て容器の実施の形態を示す。図において、１は、ポリオレフィン系合成樹脂等でブロー成形したボトル形の容器体、２は、該容器体の胴、３は、該胴の上端から突設した円筒状の充填口で、該充填口は専ら充填にのみ用いるものであって、充填後に一字状に押し潰して融着封止するものである。４は、上記胴２の肩部であり、上記充填口の左右に連なっている。５は、その一方肩部から破断開口可能に突設した注出にのみ用いる小筒状の注出口、６は、該注出口５の先端に中間部にて薄肉破断線７を介して破断開口可能に連設した蝶形つまみ片である。このつまみ片６は、左右のつまみ部分を上記注出口５の筒壁周面との間隙を存して垂下しており、これらつまみ部分の下端（つまみ片６の両端）を、薄肉破断線８を介して上記肩部４へ連続させている。尚、これらの注出口５乃至つまみ片６も上記ブロー成形で一体成形するものである。
【０００８】
上述のブロー成形による容器体１の肉厚は、１mm以下の薄肉でよいが、該容器体１には、自体で自然的に形態を維持できる程度に適度な剛性を保有させる。
【０００９】
如上の構成であるから、図２乃至図４に示す充填口３の開口状態において、ボトルと同様にして内容物を充填すればよい。
充填後、図１に示すように、その充填口３を超音波溶着手段等により一字状に押し潰して融着封止９する。以後、充填口３は開口させない。
内容物を注出する際には、つまみ片６を指でつまんでひねり、各薄肉破断線７，８を破断させることにより、注出口５の先端を開口させて、該注出口から内容物を注出する。
注出後に内容物が残り、これを保存するときは、その容器体１をボトルと同様に起立させ、注出口５を栓等で閉じて保存、保管する。
【００１０】
【発明の効果】
本発明によれば、既述構成であるから、以下の効果を奏する。
(1) 注出専用で破断開口させる注出口５を胴２の肩部４から突設しており、該注出口の先端に破断開口用つまみ片６を連設しているので、内容物を注出する際には、そのつまみ片６を指でつまんでひねるだけで注出口５を極めて簡単に破断開口させることができ、容易に注出できる。
(2) 容器体１がボトル形であり、ブロー成形で適度に剛性を持たせることができるから、容器体１にはボトルと同様にして内容物を充填することができ、袋容器ではあっても高速度に充填でき、しかも、その充填口３の封止も押し潰しで融着（シール）させることで簡単かつ迅速に行える。
(3) ボトル形の容器体１であり、ブロー成形で適度に剛性をもたせることができるから、適確に起立させることができて、安定に保存、保管でき、しかも、内容物の充填後は、充填口３の封止により完全な密閉状態で漏れなく保存、保管できる。また、内容物を途中まで注出して残量を保存するような場合でも、転倒等することなく保存、保管でき、内容物が漏出して周辺を汚すことはない。したがって、注出口５は栓等で簡単に閉じるだけてよい。
(4) 容器体１がボトル形であり、ブロー成形で適度に剛性を持たせることができるから、持ち易くかつ取り扱い易くでき、注出の際に不意の屈曲等により注出方向が変動することや該変動で注ぎ難くなることを防止することができ、漏らすことを少なくできる。
(5) ボトルと同様の外観を呈するので、見映えがよい。
(6) ボトル形で薄肉の容器体であり、キャップ等を有しないものであるから、廃棄の際には、簡単に圧潰、折り畳み等できて、かなり小さくすることができ、その量を格段に少なくすることができる。また、キャップ等を分別する必要もなく、手間もかからない。
(7) そして、その構造上、ブロー成形等で簡単に一体成形できて、極めて容易に製作でき、安価に提供できる。
【図面の簡単な説明】
【図１】  本発明に係る圧潰廃棄容易な合成樹脂製簡易使い捨て容器の実施の形態を示す斜視図である。
【図２】  同実施の形態における充填口封止前の斜視図である。
【図３】  同実施の形態における充填口封止前の正面図である。
【図４】  同実施の形態における充填口封止前の平面図である。
【図５】  同実施の形態における要部の側面図である。
【図６】  同実施の形態における図３のＡ−Ａ線断面図である。
【符号の説明】
１…容器体                      ２…胴
３…充填口                      ４…肩部
５…注出口                      ６…つまみ片
７…薄肉破断線                  ８…薄肉破断線
９…融着封止
【図１】
0003762074.tif 000002
【図２】
0003762074.tif 000003
【図３】
0003762074.tif 000004
【図４】
0003762074.tif 000005
【図５】
0003762074.tif 000006
【図６】
0003762074.tif 000007